(57)【要約】【課題】ケーブルの噛み込みを防止してケーブルの損傷を回避すること。【解決手段】金属からなる帯板状の材料を曲げることによって形成され、取り付け用の穴が設けられた直線状の基部１１と、基部に連続し、中心角が１８０度を越えて円弧状に曲げられた保持部１２と、保持部に連続し、境界部分において保持部の接線方向の外側に折り曲げられた直線状の噛込み防止部１３と、噛込み防止部に連続し、境界部分において外側に折り曲げられ、直線状であり且つ使用時において基部と重なるものであって、基部の穴と重なる穴が設けられた押さえ部１４とを有してなる。【選択図】      図５
2004360789.tif 000002
【特許請求の範囲】
【請求項１】
ケーブルを固定するためのケーブルバンドであって、
金属からなる帯板状の材料を曲げることによって形成され、
取り付け用の穴が設けられた直線状の基部と、
前記基部に連続し、中心角が１８０度を越えて円弧状に曲げられた保持部と
、
前記保持部に連続し、境界部分において前記保持部の接線方向の外側に折り曲げられた直線状の噛込み防止部と、
前記噛込み防止部に連続し、境界部分において外側に折り曲げられ、直線状であり且つ使用時において前記基部と重なるものであって且つ前記基部の穴と重なる穴が設けられた押さえ部と、
を有してなることを特徴とするケーブルバンド。
【請求項２】
自由状態において、前記噛込み防止部は前記押さえ部の方に向かって前記基部に対して閉じるように傾斜しており、前記押さえ部は外側に向かって前記基部に対して開くように傾斜している、
請求項１記載のケーブルバンド。
【請求項３】
前記保持部は、長円状または楕円状に曲げられてなる、
請求項１または２記載のケーブルバンド。
【請求項４】
前記押さえ部が前記基部に接するように変形したときに弾性限界内での変形となるように形成されている、
請求項１ないし３のいずれかに記載のケーブルバンド。
【発明の詳細な説明】
【０００１】
【発明の属する技術分野】
本発明は、シールドケーブルをシャーシに固定する場合などに利用されるケーブルバンドに関する。
【０００２】
【従来の技術】
従来より、シールドケーブルや同軸ケーブルなどの実装に当たって、それらのケーブルをシャーやフレームなどに固定するためのケーブルバンドが用いられている。
【０００３】
図６は従来のケーブルバンド８０の正面図、図７は従来のケーブルバンド８０の使用状態を示す斜視図である。
図６において、ケーブルバンド８０は、アルミニウムからなる帯板状の材料を曲げることによって形成されており、直線状の基部８１、基部８１に連続して円弧状に曲げられた保持部８２、保持部８２に連続する直線状の締付け部８３、締付け部８３に連続し、境界部分で折り曲げられた直線状の押さえ部８４からなる。基部８１および押さえ部８４にはビスを挿通するための穴８５，８６が設けられている。
【０００４】
図７に示すように、ケーブルバンド８０を使用する際には、保持部８２にケーブルＣＶを嵌め込み、穴８５，８６にビスＢＳを挿通し、図示しないシャーシのネジ穴にねじ込んで押さえ部８４と基部８１を締めつける。ビスＢＳを締めつけるにしたがって、保持部８２および締付け部８３がケーブルＣＶを抱き込んで締め付ける。これによって、ケーブルＣＶはシャーシなどに固定される。
【０００５】
また、同軸ケーブルをワンタッチで固定するためのケーブルが特許文献１に記載されている。
【０００６】
【特許文献１】
特開平９−１４４７１９
【０００７】
【発明が解決しようとする課題】
しかし、図６および図７に示した従来のケーブルバンド８０では、ビスＢＳを締めつけるにしたがってケーブルＣＶを変形させるものであり、特に、締付け部８３がケーブルＣＶを強く押し付けるので、それにより変形したケーブルＣＶが押さえ部８４と基部８１との間にはみ出してきて噛み込みが発生する。そのようなケーブルＣＶのはみ出し部ＫＢは、締付け部８３と押さえ部８４との境界部分のエッジによって基部８１に強い力で押し付けられることとなる。そのため、はみ出し部ＫＢにおいてケーブルＣＶの被覆が破損したり、ケーブルＣＶの内部の芯線が断線したりするなど、実装障害の発生するおそれがあった。
【０００８】
また、従来のケーブルバンド８０は、ビスＢＳで締め付けることによって図７に示す状態に永久変形してしまうので、ビスＢＳを緩めても基部８１と押さえ部８４とが閉じた状態のままとなる。そのため、ケーブルＣＶをケーブルバンド８０から分離するのが容易ではなくなり、修理や解体のためにケーブルＣＶを取り外す必要が生じたときの作業性が悪い。
【０００９】
本発明は、上述の問題に鑑みてなされたもので、ケーブルの噛み込みを防止してケーブルの損傷を回避することのできるケーブルバンドを提供することを目的とする。
【００１０】
本発明は、ケーブルをケーブルバンドから取り外すときの作業性を向上させることを他の目的とする。
【００１１】
【課題を解決するための手段】
本発明に係るケーブルバンドは、金属からなる帯板状の材料を曲げることによって形成され、取り付け用の穴が設けられた直線状の基部と、前記基部に連続し、中心角が１８０度を越えて円弧状に曲げられた保持部と、前記保持部に連続し、境界部分において前記保持部の接線方向の外側に折り曲げられた直線状の噛込み防止部と、前記噛込み防止部に連続し、境界部分において外側に折り曲げられ、直線状であり且つ使用時において前記基部と重なるものであって、前記基部の穴と重なる穴が設けられた押さえ部とを有してなる。
【００１２】
使用に際してビスで締めつけたときに、噛込み防止部および押さえ部が適当に撓み、これによってケーブルを過大に締めつけることが防止され、ケーブルの噛み込みが防止される。
【００１３】
好ましくは、ケーブルバンドの全体が、前記押さえ部が前記基部に接するように変形したときに弾性限界内での変形となるように形成される。これによって、ケーブルをケーブルバンドから取り外すときに、取付けていたビスを緩めることによってケーブルバンドが元の開いた形状に戻り、ケーブルバンドとケーブルとの分離が容易になって作業性が向上する。
【００１４】
【発明の実施の形態】
図１は本発明の一実施形態のケーブルバンド１の正面図、図２はケーブルバンド１の平面図、図３はケーブルバンド１の底面図、図４はケーブルバンド１の右側面図、図５はケーブルバンド１の使用状態を示す斜視図である。
【００１５】
これらの図において、ケーブルバンド１は、Ａｌ−Ｍｇ系の合金、例えばＪＩＳ５０００シリーズの合金からなる帯板状の材料を曲げることによって形成される。材料の寸法の例を挙げると、板厚は０．５ｍｍ程度、幅は１０ｍｍ程度である。
【００１６】
すなわち、ケーブルバンド１は、順次連続するように形成された、基部１１、保持部１２、噛込み防止部１３、および押さえ部１４からなる。
基部１１は、直線状、つまり長方形の平板であり、一方の端部に取り付け用の円形の穴２１が設けられている。穴２１が設けられた端部の角はアールに仕上げられている。基部１１の長さは例えば１７ｍｍ程度である。
【００１７】
保持部１２は、中心角が１８０度を越えて長円の円弧状に曲げられている。保持部１２の短半径（図１における縦方向の半径）は使用するケーブルＣＶの直径よりも小さく設定されており、長半径（図１における横方向の半径）はそれよりも大きく設定されている。例えば、保持部１２の図１における左側の半円の円弧状部は半径３ｍｍ程度、右側上部の僅かな円弧状部は半径３ｍｍ程度、左右の円弧状部を接続する直線状部は長さ１．５ｍｍ程度である。つまり、この場合には、長半径が短半径よりも１．５ｍｍ程度長く、仕上がり直径が６ｍｍ以上のケーブルＣＶに用いられることとなる。
【００１８】
噛込み防止部１３は、直線状であり、保持部１２との境界部分において保持部１２の接線方向に対して外側に折り曲げられて形成される。その折り曲げ部分は、例えば外周面で２ｍｍ程度の滑らかなアールとしてある。噛込み防止部１３の長さは例えば６ｍｍ程度である。
【００１９】
押さえ部１４は、直線状であって、噛込み防止部１３との境界部分において外側に折り曲げられて形成される。押さえ部１４は、使用時において基部１１と重なるものであり、穴２１と重なる位置に長円状の穴２２が設けられている。押さえ部１４の噛込み防止部１３に対する角度は例えば２５度程度であり、折り曲げ部分は例えば外周面で２ｍｍ程度の滑らかなアールとしてある。押さえ部１４の長さは例えば８ｍｍ程度である。
【００２０】
噛込み防止部１３は、その自由状態において、押さえ部１４の方に向かって基部１１に対して閉じるように傾斜しており、押さえ部１４は外側に向かって基部１１に対して開くように傾斜している。
【００２１】
また、使用時にはビスＢＳによって押さえ部１４が基部１１に接するように変形させることになるが、その場合の変形は、ケーブルバンド１の全体の弾性限界内での変形となるように形成されている。つまり、ビスＢＳを締めて押さえ部１４が基部１１に接するように変形させて使用していても、ビスＢＳを緩めることによって図１に示す元の開いた自由状態に戻るようになっている。つまり、ケーブルバンド１の材料として、Ａｌ−Ｍｇ系の合金を用いることによって強度が大きくなっており、弾力性も良好である。この点、従来においては強度が小さく弾性も小さい純度の高いアルミニウムが用いられていたのであるが、本実施形態では、従来よりも板厚を薄くし（従来は例えば０．８ｍｍ程度）、且つ強度を上げている。
【００２２】
このようなケーブルバンド１は、例えば、板状材をプレス型によって帯状に打ち抜いた後、複数の折り曲げ工程または打ち抜き工程を経て連続的に大量生産することができる。
【００２３】
図５に示すように、ケーブルバンド１を使用する際には、保持部１２にケーブルＣＶを嵌め込み、穴２１，２２にビスＢＳを挿通し、図示しないシャーシのネジ穴にねじ込んで押さえ部１４と基部１１を締めつける。ビスＢＳを締めつけるにしたがって、保持部１２がケーブルＣＶを抱き込んで締め付ける。そのとき、ケーブルＣＶは円形から長円形または楕円形に変形するが、保持部１２の形状が長円状であるため、保持部１２に沿った形状に変形する。
【００２４】
そして、保持部１２によるケーブルＣＶへの締め付け力は、噛込み防止部１３および押さえ部１４が弾性的に撓むことによってそれが過大となることが防止され、適度な強さでケーブルＣＶが押さえられる。しかも、保持部１２は中心角が１８０度を越えた円弧状であるので、ケーブルＣＶを十分に圧迫して保持し、ケーブルＣＶの左右方向および軸方向への移動を許さない。また、噛込み防止部１３と基部１１との間に三角形状の空間ＫＧが存在するので、圧迫され変形されたケーブルＣＶが少々膨れたとしても噛み込むことがない。このようにして、ケーブルＣＶはシャーシなどに固定される。ケーブルバンド１は金属材料からなるので、ケーブルＣＶのシールド被覆部分をシャーシにアースすることができる。つまりアースバンドとして用いることができる。
【００２５】
このように、本実施形態のケーブルバンド１によると、使用時におけるケーブルＣＶの噛み込みを防止し、従来において生じることのあったケーブルＣＶの損傷を回避することができる。
【００２６】
また、ケーブルＣＶを取り外す際には、ビスＢＳを緩めると、ケーブルバンド１の弾力性によって図１に示す元の形状、またはそれに近い形状に復帰する。したがって、ケーブルバンド１とケーブルＣＶとを容易に分離することができ、分解時などの作業性が良好である。
【００２７】
上に述べた実施形態において、保持部１２は長円状としたが、楕円状、円状、またはそれらに類似の形状であってもよい。噛込み防止部１３は、若干の曲率を有した直線状としてもよい。噛込み防止部１３の長さをもっと短くしまたは長くしてもよい。その他、ケーブルバンド１の材質、各部の形状、寸法、または角度などは、上に述べた以外の種々のものとすることができる。
【００２８】
【発明の効果】
本発明によると、ケーブルの噛み込みを防止してケーブルの損傷を回避することができる。
【００２９】
請求項４の発明によると、ケーブルをケーブルバンドから取り外すときの作業性を向上させることができる。
【図面の簡単な説明】
【図１】本発明の一実施形態のケーブルバンドの正面図である。
【図２】ケーブルバンドの平面図である。
【図３】ケーブルバンドの底面図である。
【図４】ケーブルバンドの右側面図である。
【図５】ケーブルバンドの使用状態を示す斜視図である。
【図６】従来のケーブルバンドの正面図である。
【図７】従来のケーブルバンドの使用状態を示す斜視図である。
【符号の説明】
１  ケーブルバンド
１１  基部
１２  保持部
１３  噛込み防止部
１４  押さえ部
２１  穴
２２  穴
【図１】
2004360789.tif 000003
【図２】
2004360789.tif 000004
【図３】
2004360789.tif 000005
【図４】
2004360789.tif 000006
【図５】
2004360789.tif 000007
【図６】
2004360789.tif 000008
【図７】
2004360789.tif 000009